(57)【特許請求の範囲】
【請求項１】
鍵盤シャーシと、
この鍵盤シャーシ上に並列に配列されて上下方向に移動する複数の鍵と、
この複数の鍵の配列方向に対して直交する方向における前記複数の鍵の各一端部をそれぞれ弾力的に押し上げる複数の第１スイッチ部と、
前記複数の鍵の前記各一端部と反対側に位置する前記複数の鍵の各他端部をそれぞれ弾力的に押し上げる複数の第２スイッチ部と、
前記複数の鍵における前記各一端部の上限位置をそれぞれ規制する複数の第１ストッパ部と、
前記複数の鍵における前記各他端部の上限位置をそれぞれ規制する複数の第２ストッパ部と、を備え、
前記鍵盤シャーシ上には、前記複数の鍵の前記各一端部と前記各他端部との各両端部が同時に押鍵操作された際に、前記複数の鍵の各中心部がそれぞれ当接する支点突起部が、前記複数の鍵にそれぞれ対応して設けられていることを特徴とする鍵盤楽器。
【請求項２】
請求項１に記載の鍵盤楽器において、
前記複数の第１スイッチ部は、前記鍵盤シャーシ上に配置されて前記複数の鍵の前記各一端部に対応する第１スイッチ基板と、この第１スイッチ基板上に配置されて前記複数の鍵の前記各一端部をそれぞれ弾力的に押し上げる第１可動接点部とを備えており、
前記複数の第２スイッチ部は、前記鍵盤シャーシ上に配置されて前記複数の鍵の前記各他端部に対応する第２スイッチ基板と、この第２スイッチ基板上に配置されて前記複数の鍵の前記各他端部をそれぞれ弾力的に押し上げる第２可動接点部とを備えていることを特徴とする鍵盤楽器。
【請求項３】
請求項１または請求項２に記載の鍵盤楽器において、
前記第１ストッパ部は、前記複数の鍵の前記各一端部にそれぞれ設けられた第１フック部と、この第１フック部がそれぞれ下側から当接する第１当接部とを備えており、
前記第２ストッパ部は、前記複数の鍵の前記各他端部にそれぞれ設けられた第２フック部と、この第２フック部がそれぞれ下側から当接する第２当接部とを備えていることを特徴とする鍵盤楽器。
【請求項４】
請求項１〜請求項３のいずれかに記載の鍵盤楽器において、
前記複数の鍵の前記各一端部を上下方向にガイドする第１鍵ガイド部と、前記複数の鍵の前記各他端部を上下方向にガイドする第２鍵ガイド部とを備えていることを特徴とする鍵盤楽器。
【請求項５】
請求項１〜請求項４のいずれかに記載の鍵盤楽器において、
前記第１スイッチ部と前記第２スイッチ部とは、異なる音階のスイッチ信号を出力することを特徴とする鍵盤楽器。
【発明の詳細な説明】
【技術分野】
【０００１】
この発明は、電子ピアノや電子オルガンなどの鍵盤楽器に関する。
【背景技術】
【０００２】
従来、電子ピアノなどの鍵盤楽器においては、特許文献１に記載されているように、鍵盤シャーシ上に複数の鍵を配列する際に、各鍵が上下方向に回転するように、各鍵の後端部を鍵盤シャーシ上に支持した構成のものが知られている。
【先行技術文献】
【特許文献】
【０００３】
【特許文献１】特開２００８−２６４０３号公報
【発明の概要】
【発明が解決しようとする課題】
【０００４】
このような従来の鍵盤楽器では、複数の演奏者が演奏する際に、複数の鍵が配列された鍵盤部の手前側に複数の演奏者が並んで演奏するため、複数の鍵が配列された鍵盤部の鍵領域を複数の演奏者ごとに分けて演奏する必要がある。このため、複数の演奏者がそれぞれ押鍵操作できる鍵盤部の鍵領域が狭くなり、各演奏者が自由に合奏することができないという問題がある。
【０００５】
この発明が解決しようとする課題は、複数の演奏者が楽器を挟んで向かい合った状態で自由に合奏することができる鍵盤楽器を提供することである。
【課題を解決するための手段】
【０００６】
この発明は、鍵盤シャーシと、この鍵盤シャーシ上に並列に配列されて上下方向に移動する複数の鍵と、この複数の鍵の配列方向に対して直交する方向における前記複数の鍵の各一端部をそれぞれ弾力的に押し上げる複数の第１スイッチ部と、
前記複数の鍵の前記各一端部と反対側に位置する前記複数の鍵の各他端部をそれぞれ弾力的に押し上げる複数の第２スイッチ部と、前記複数の鍵における前記各一端部の上限位置をそれぞれ規制する複数の第１ストッパ部と、前記複数の鍵における前記各他端部の上限位置をそれぞれ規制する複数の第２ストッパ部と、を備え、前記鍵盤シャーシ上には、前記複数の鍵の前記各一端部と前記各他端部との各両端部が同時に押鍵操作された際に、前記複数の鍵の各中心部がそれぞれ当接する支点突起部が、前記複数の鍵にそれぞれ対応して設けられていることを特徴とする鍵盤楽器である。
【発明の効果】
【０００７】
この発明によれば、鍵盤シャーシ上に並列に配列された複数の鍵の各一端部と各他端部との各両端部をそれぞれ押鍵操作することができるので、複数の演奏者が楽器を挟んで互いに向かい合って同時に押鍵操作することができる。このため、複数の演奏者が楽器を挟んで向かい合った状態で、互いに邪魔にならずに自由に合奏することができる。
【図面の簡単な説明】
【０００８】
【図１】この発明を適用した鍵盤楽器の実施形態１を示した平面図である。
【図２】図１に示された鍵盤楽器において、白鍵に対応する箇所のＡ−Ａ矢視における拡大断面図である。
【図３】図１に示された鍵盤楽器において、黒鍵に対応する箇所のＢ−Ｂ矢視における拡大断面図である。
【図４】図２に示された鍵盤楽器の白鍵に対応する第１、第２の各スイッチ基板を示し、（ａ）はその第１スイッチ基板の要部を示した拡大平面図、（ｂ）はその第２スイッチ基板の要部を示した拡大平面図である。
【図５】図３に示された鍵盤楽器の黒鍵に対応する第１、第２の各スイッチ基板を示し、（ａ）はその第１スイッチ基板の要部を示した拡大平面図、（ｂ）はその第２スイッチ基板の要部を示した拡大平面図である。
【図６】図１に示された鍵盤楽器のＣ−Ｃ矢視におけるスピーカ部の拡大断面図である。
【図７】図１に示された鍵盤楽器のＤ−Ｄ矢視におけるスイッチ操作部の拡大断面図である。
【図８】図３に示された鍵盤楽器において、黒鍵の一端部を押鍵操作した状態を示した拡大断面図である。
【図９】図３に示された鍵盤楽器において、黒鍵の他端部を押鍵操作した状態を示した拡大断面図である。
【図１０】図３に示された鍵盤楽器において、黒鍵の両端部を同時に押鍵操作した状態を示した拡大断面図である。
【図１１】この発明を適用した鍵盤楽器の実施形態２において、白鍵に対応する箇所の拡大断面図である。
【図１２】図１１に示された鍵盤楽器において、黒鍵に対応する箇所の拡大断面図である。
【図１３】図１１に示された鍵盤楽器の白鍵に対応する第１、第２の各ストッパ部および第１、第２の各鍵ガイド部を示した要部の拡大側面図である。
【図１４】図１２に示された鍵盤楽器の黒鍵に対応する第１、第２の各ストッパ部および第１、第２の各鍵ガイド部を示した要部の拡大側面図である。
【発明を実施するための形態】
【０００９】
（実施形態１）
以下、図１〜図１０を参照して、この発明を適用した鍵盤楽器の実施形態１について説明する。
この鍵盤楽器は、図１に示すように、楽器ケースを兼ねる鍵盤シャーシ１を備えている。この鍵盤シャーシ１上には、複数の鍵２が並列に配列されている。この複数の鍵２は、複数の白鍵３と複数の黒鍵４とを備えている。また、この鍵盤シャーシ１における鍵２の配列方向に沿う両側部には、スイッチ操作部５とスピーカ部６とが設けられている。
【００１０】
鍵盤シャーシ１は、図１に示すように、鍵２の配列方向に長く形成されている。この鍵盤シャーシ１は、図２および図３に示すように、白鍵３を搭載する白鍵搭載部７と、黒鍵４を搭載する黒鍵搭載部８と、白鍵３の前後方向（図２では左右方向）における両端部３ａ、３ｂが上下方向に移動可能に挿入する白鍵逃し部９と、黒鍵４の前後方向（図３では左右方向）における両端部４ａ、４ｂが上下方向に移動可能に挿入する黒鍵逃し部１０と、鍵カバー部１１とを有し、これらが一体に形成された構成になっている。
【００１１】
この場合、白鍵搭載部７は、鍵２の配列方向に沿って連続して設けられている。黒鍵搭載部８は、図２および図３に示すように、白鍵搭載部７上に位置して白鍵搭載部７の上方に突出した状態で、複数の黒鍵４にそれぞれ対応して設けられている。また、白鍵逃し部９は、白鍵３の前後方向（図２では左右方向）における両端部３ａ、３ｂがそれぞれ押鍵操作された際に、白鍵３の両端部３ａ、３ｂをそれぞれ上下方向に移動させるためのもの溝状凹部であり、鍵２の配列方向に沿って連続して設けられている。この白鍵逃し部９は、その下面が卓上などの載置面Ｔ上に配置される脚部を兼ねている。
【００１２】
また、黒鍵逃し部１０は、図３に示すように、黒鍵４の両端部４ａ、４ｂがそれぞれ押鍵操作された際に、黒鍵４の前後方向（図３では左右方向）における両端部４ａ、４ｂをそれぞれ上下方向に移動させるためのもの溝状凹部であり、複数の黒鍵４の各両端部４ａ、４ｂにそれぞれ対応して設けられている。この黒鍵逃１０は、その下部が白鍵搭載部７よりも下側に突出した状態で設けられている。
【００１３】
ところで、複数の白鍵３は、図２に示すように、鍵２の配列方向と直交する左右方向においてそれぞれ左右対称な形状で形成され、その左右方向における両端部３ａ、３ｂの各内部にスイッチ押圧部１２、１３がそれぞれ設けられ、この各スイッチ押圧部１２、１３が鍵盤シャーシ１の白鍵搭載部７上に設けられた白鍵用の第１、第２の各スイッチ部１４、１５によって弾力的に支持されていることにより、鍵盤シャーシ１の白鍵搭載部７上にそれぞれ上下方向に移動可能に配置されている。
【００１４】
この場合、第１スイッチ部１４は、図２および図４（ａ）に示すように、複数の白鍵３の各一端部３ａ（図２では左端部）に対応する鍵盤シャーシ１の白鍵搭載部７上に配置された第１スイッチ基板１６と、この第１スイッチ基板１６上に配置されて複数の白鍵３の各一端部３ａをそれぞれ弾力的に押し上げる第１可動接点部１７とを備えている。第１スイッチ基板１６は、図２および図４（ａ）に示すように、複数の白鍵３の各一端部３ａに対応した状態で、白鍵３の下側を通して、鍵２の配列方向に沿って連続して設けられている。
【００１５】
第１可動接点部１７は、ゴムやエラストマーなどの弾性シートからなり、図２および図４（ａ）に示すように、鍵２の配列方向に沿って連続した状態で、第１スイッチ基板１６上に配置されている。この第１可動接点部１７には、ドーム状に形成されて弾性変形する複数の膨出部１７ａが複数の白鍵３の各一端部３ａに設けられた各スイッチ押圧部１２にそれぞれ対応して形成されている。この膨出部１７ａは、白鍵３の一端部３ａにおけるスイッチ押圧部１２を弾力的に押し上げるものであり、その内部に可動接点（図示せず）が設けられた構成になっている。
【００１６】
これにより、第１スイッチ部１４は、白鍵３の一端部３ａが押鍵操作されて押し下げられた際に、その一端部３ａのスイッチ押圧部１２によって第１可動接点部１７の膨出部１７ａが弾性変形し、この弾性変形した膨出部１７ａ内の可動接点（図示せず）が、第１スイッチ基板１６の上面に設けられた固定接点（図示せず）に接離可能に接触することにより、スイッチ信号を出力するように構成されている。
【００１７】
また、第２スイッチ部１５は、図２に示すように、複数の白鍵３の各他端部３ｂ（図２では右端部）に対応する鍵盤シャーシ１の白鍵搭載部７上に配置された第２スイッチ基板１８と、この第２スイッチ基板１８上に配置されて複数の白鍵３の各他端部３ｂをそれぞれ弾力的に押し上げる第２可動接点部１９とを備えている。第２スイッチ基板１８は、第１スイッチ基板１６と同様、複数の白鍵３の各他端部３ｂに対応した状態で、鍵２の配列方向に沿って連続して設けられている。
【００１８】
第２可動接点部１９は、第１可動接点部１７と同様、ゴムやエラストマーなどの弾性シートからなり、図２および図４（ｂ）に示すように、鍵２の配列方向に沿って連続した状態で、第２スイッチ基板１８上に配置されている。この第２可動接点部１９にも、ドーム状に形成されて弾性変形する複数の膨出部１９ａが複数の白鍵３の各他端部３ｂに設けられた各スイッチ押圧部１３にそれぞれ対応して形成されている。この膨出部１９ａは、白鍵３の他端部３ｂのスイッチ押圧部１３を弾力的に押し上げるものであり、その内部に可動接点（図示せず）が設けられた構成になっている。
【００１９】
これにより、第２スイッチ部１５は、第１スイッチ部１４と同様、白鍵３の他端部３ｂが押鍵操作されて押し下げられた際に、その他端部３ｂのスイッチ押圧部１３によって第２可動接点部１９の膨出部１９ａが弾性変形し、この弾性変形した膨出部１９ａ内の可動接点（図示せず）が、第２スイッチ基板１８の上面に設けられた固定接点（図示せず）に接離可能に接触することにより、スイッチ信号を出力するように構成されている。
【００２０】
また、この複数の白鍵３は、図２に示すように、その両端部３ａ、３ｂが白鍵用の第１、第２の各ストッパ部２０、２１によってそれぞれ位置規制されていることにより、上限位置が規制されるように構成されている。すなわち、第１ストッパ部２０は、白鍵３の一端部３ａにそれぞれ設けられた第１フック部２０ａと、この第１フック部２０ａがそれぞれ下側から当接する第１当接部２０ｂとを備えている。
【００２１】
この場合、第１フック部２０ａは、図２および図４（ａ）に示すように、鍵盤シャーシ１の左側に位置する白鍵逃し部９に挿入する白鍵３の一端部３ａにおける下部両側に位置し、この状態で鍵盤シャーシ１の白鍵搭載部７に向けて突出し、この突出した先端部が白鍵搭載部７上に設けられた第１スイッチ基板１６の下側に接離可能に位置するように形成されている。
【００２２】
第１当接部２０ｂは、図２および図４（ａ）に示すように、白鍵搭載部７上に設けられた第１スイッチ基板１６の一端部（図２では左端部）が鍵盤シャーシ１の左側に位置する白鍵逃し部９上に右側から突出した部分であり、この突出した部分に第１フック部２０ａが下側から接離可能に当接するように構成されている。
【００２３】
これにより、第１ストッパ部２０は、図２および図４（ａ）に示すように、白鍵３の一端部３ａが第１スイッチ部１４の第１可動接点部１７によって押し上げられた際に、第１フック部２０ａが第１スイッチ基板１６の第１当接部２０ｂに当接することにより、白鍵３の一端部３ａの上限位置を規制するように構成されている。
【００２４】
また、第２ストッパ部２１は、第１ストッパ部２０と同様、白鍵３の他端部３ｂにそれぞれ設けられた第２フック部２１ａと、この第２フック部２１ａがそれぞれ下側から当接する第２当接部２１ｂとを備えている。第２フック部２１ａは、図２および図４（ｂ）に示すように、鍵盤シャーシ１の右側に位置する白鍵逃し部９に挿入する白鍵３の他端部３ｂにおける下部両側に位置し、この状態で鍵盤シャーシ１の白鍵搭載部７に向けて突出し、この突出した先端部が白鍵搭載部７上に設けられた第２スイッチ基板１８の下側に接離可能に位置するように形成されている。
【００２５】
第２当接部２１ｂは、図２および図４（ｂ）に示すように、白鍵搭載部７上に設けられた第２スイッチ基板１８の一端部（図２では右端部）が鍵盤シャーシ１の右側に位置する白鍵逃し部９上に左側から突出した部分であり、この突出した部分に第２フック部２１ａが下側から接離可能に当接するように構成されている。
【００２６】
これにより、第２ストッパ部２１も、図２および図４（ｂ）に示すように、白鍵３の他端部３ｂが第２スイッチ部１５の第２可動接点部１９によって押し上げられた際に、第２フック部２１ａが第２スイッチ基板１８の第２当接部２１ｂに当接することにより、白鍵３の他端部３ｂの上限位置を規制するように構成されている。
【００２７】
また、鍵盤シャーシ１における白鍵搭載部７上には、図２に示すように、複数の白鍵３の各一端部３ａと各他端部３ｂとが同時に押鍵操作された際に、複数の白鍵３における各下面の各中心部がそれぞれ当接する支点突起部２２が、複数の白鍵３にそれぞれ対応して設けられている。すなわち、この支点突起部２２は、白鍵３の両端部３ａ、３ｂが同時に押鍵操作されて、白鍵３が白鍵搭載部７の上面とほぼ平行に押し下げられた際に、白鍵３の下限位置を規制するように構成されている。
【００２８】
さらに、この複数の白鍵３は、図４（ａ）および図４（ｂ）に示すように、複数の白鍵３の各一端部３ａを上下方向にガイドする第１鍵ガイド部２３と、複数の白鍵３の各他端部３ｂを上下方向にガイドする第２鍵ガイド部２４とを備えている。第１鍵ガイド部２３は、図４（ａ）に示すように、第１スイッチ基板１６の一端部（図２の左端部で、図４（ａ）では下端部）に設けられた第１当接部２０ｂで兼用されている。
【００２９】
すなわち、この第１鍵ガイド部２３は、第１スイッチ基板１６の一端部（図４（ａ）では下端部）に設けられた第１当接部２０ｂの両側部が白鍵３の一端部３ａ内の両側面に接触して摺動することにより、白鍵３の横振れを防ぐように構成されている。また、第２鍵ガイド部２４は、図４（ｂ）に示すように、第２スイッチ基板１８の一端部（図２の右端部で、図４（ｂ）では上端部）に設けられた第２当接部２１ｂで兼用されている。すなわち、この第２鍵ガイド部２４も、第２当接部２１ｂの両側部が白鍵３の他端部３ｂ内の両側面に接触して摺動することにより、白鍵３の横振れを防ぐように構成されている。
【００３０】
一方、複数の黒鍵４は、図３に示すように、鍵２の配列方向と直交する左右方向においてそれぞれ左右対称な形状で形成され、その左右方向における両端部４ａ、４ｂの各内部に各スイッチ押圧部２５、２６がそれぞれ設けられ、この各スイッチ押圧部２５、２６が鍵盤シャーシ１の黒鍵搭載部８上に設けられた黒鍵用の第１、第２の各スイッチ部２７、２８によって弾力的に支持されていることにより、鍵盤シャーシ１の黒鍵搭載部８上にそれぞれ上下方向に移動可能に配置されている。
【００３１】
この場合、黒鍵用の第１スイッチ部２７は、図３および図５（ａ）に示すように、複数の黒鍵４の各一端部４ａ（図３では左端部）に対応する鍵盤シャーシ１の黒鍵搭載部８上に配置された第１スイッチ基板２９と、この第１スイッチ基板２９上に配置されて複数の黒鍵４の各一端部４ａをそれぞれ弾力的に押し上げる第１可動接点部３０とを備えている。第１スイッチ基板２９は、複数の黒鍵４の各一端部４ａに対応した状態で、白鍵３および黒鍵４の各下側を通って、鍵２の配列方向に沿って連続して設けられている。
【００３２】
第１可動接点部３０は、白鍵用の第１、第２の各可動接点部１７、１９と同様、ゴムやエラストマーなどの弾性シートからなり、図３および図５（ａ）に示すように、鍵２の配列方向に沿って連続した状態で、第１スイッチ基板２９上に配置されている。この第１可動接点部３０にも、ドーム状に形成されて弾性変形する複数の膨出部３０ａが複数の黒鍵４の各一端部４ａに設けられた各スイッチ押圧部２５にそれぞれ対応して形成されている。この膨出部３０ａは、黒鍵４の一端部４ａのスイッチ押圧部２５を弾力的に押し上げるものであり、その内部に可動接点（図示せず）が設けられた構成になっている。
【００３３】
これにより、第１スイッチ部２７は、図３に示すように、黒鍵４の一端部４ａが押鍵操作されて押し下げられた際に、その一端部４ａのスイッチ押圧部２５によって第１可動接点部３０の膨出部３０ａが弾性変形し、この弾性変形した膨出部３０ａ内の可動接点（図示せず）が、第１スイッチ基板２９の上面に設けられた固定接点（図示せず）に接離可能に接触することにより、スイッチ信号を出力するように構成されている。
【００３４】
また、第２スイッチ部２８は、図３および図５（ｂ）に示すように、複数の黒鍵４の各他端部４ｂ（図３では右端部）に対応する鍵盤シャーシ１の黒鍵搭載部８上に配置された第２スイッチ基板３１と、この第２スイッチ基板３１上に配置されて複数の黒鍵４の各他端部４ｂをそれぞれ弾力的に押し上げる第２可動接点部３２とを備えている。第２スイッチ基板３１は、第１スイッチ基板２９と同様、複数の黒鍵４の各他端部４ｂに対応した状態で、鍵２の配列方向に沿って連続して設けられている。
【００３５】
第２可動接点部３２は、第１可動接点部３０と同様、ゴムやエラストマーなどの弾性シートからなり、図３および図５（ｂ）に示すように、鍵２の配列方向に沿って連続した状態で、第２スイッチ基板３１上に配置されている。この第２可動接点部３２にも、ドーム状に形成されて弾性変形する複数の膨出部３２ａが複数の黒鍵４の各他端部４ｂに設けられた各スイッチ押圧部２６にそれぞれ対応して形成されている。この膨出部３２ａは、黒鍵４の他端部４ｂを弾力的に押し上げるものであり、その内部に可動接点（図示せず）が設けられた構成になっている。
【００３６】
これにより、第２スイッチ部２８は、第１スイッチ部２７と同様、黒鍵４の他端部４ｂが押鍵操作されて押し下げられた際に、その他端部４ｂのスイッチ押圧部２６によって第２可動接点部３２の膨出部３２ａが弾性変形し、この弾性変形した膨出部３２ａ内の可動接点（図示せず）が、第２スイッチ基板３１の上面に設けられた固定接点（図示せず）に接離可能に接触することにより、スイッチ信号を出力するように構成されている。
【００３７】
また、この複数の黒鍵４は、図３に示すように、その両端部４ａ、４ｂが黒鍵用の第１、第２の各ストッパ部３３、３４によってそれぞれ位置規制されていることにより、上限位置が規制されるように構成されている。すなわち、第１ストッパ部３３は、黒鍵４の一端部４ａにそれぞれ設けられた第１フック部３３ａと、この第１フック部３３ａがそれぞれ下側から当接する第１当接部３３ｂとを備えている。
【００３８】
この場合、第１フック部３３ａは、図３および図５（ａ）に示すように、鍵盤シャーシ１の左側に位置する黒鍵逃し部１０に挿入する黒鍵４の一端部４ａにおける下部両側に位置し、この状態で鍵盤シャーシ１の黒鍵搭載部８に向けて突出し、この突出した先端部が黒鍵搭載部８上に設けられた第１スイッチ基板２９の下側に接離可能に位置するように形成されている。
【００３９】
第１当接部３３ｂは、図３および図５（ａ）に示すように、黒鍵搭載部８上に設けられた第１スイッチ基板２９の一端部（図３では左端部）が鍵盤シャーシ１の左側に位置する黒鍵逃し部１０上に右側から突出した部分であり、この突出した部分に第１フック部３３ａが下側から接離可能に当接するように構成されている。
【００４０】
これにより、第１ストッパ部３３は、図３および図５（ａ）に示すように、黒鍵４の一端部４ａが第１スイッチ部２７の第１可動接点部３０によって押し上げられた際に、第１フック部３３ａが第１スイッチ基板２９の第１当接部３３ｂに下側から当接することにより、黒鍵４の一端部４ａの上限位置を規制するように構成されている。
【００４１】
また、第２ストッパ部３４は、第１ストッパ部３３と同様、黒鍵４の他端部４ｂにそれぞれ設けられた第２フック部３４ａと、この第２フック部３４ａがそれぞれ下側から当接する第２当接部３４ｂとを備えている。第２フック部３４ａは、図３および図５（ｂ）に示すように、鍵盤シャーシ１の右側に位置する黒鍵逃し部１０に挿入する黒鍵４の他端部４ｂにおける下部両側に位置し、この状態で鍵盤シャーシ１の黒鍵搭載部８に向けて突出し、この突出した先端部が黒鍵搭載部８上に設けられた第２スイッチ基板３１の下側に接離可能に位置するように形成されている。
【００４２】
第２当接部３４ｂは、図３および図５（ｂ）に示すように、黒鍵搭載部８上に設けられた第２スイッチ基板３１の一端部（図３では右端部）が鍵盤シャーシ１の右側に位置する黒鍵逃し部１０上に左側から突出した部分であり、この突出した部分に第２フック部３４ａが下側から接離可能に当接するように構成されている。
【００４３】
これにより、第２ストッパ部３４も、図３および図５（ｂ）に示すように、黒鍵４の他端部４ｂが第２スイッチ部２８の第２可動接点部３２によって押し上げられた際に、第２フック部３４ａが第２スイッチ基板３１の第２当接部３４ｂに下側から当接することにより、黒鍵４の他端部４ｂの上限位置を規制するように構成されている。
【００４４】
また、鍵盤シャーシ１における黒鍵搭載部８上には、図３に示すように、複数の黒鍵４の各一端部４ａと各他端部４ｂとが同時に押鍵操作された際に、複数の黒鍵３における各下面の各中心部がそれぞれ当接する支点突起部３５が、複数の黒鍵４にそれぞれ対応して設けられている。すなわち、この支点突起部３５は、黒鍵４の両端部４ａ、４ｂが同時に押鍵操作されて、黒鍵４が黒鍵搭載部８の上面とほぼ平行に押し下げられた際に、黒鍵４の下限位置を規制するように構成されている。
【００４５】
さらに、この複数の黒鍵４は、図５（ａ）および図５（ｂ）に示すように、複数の黒鍵４の各一端部４ａを上下方向にガイドする第１鍵ガイド部３６と、複数の黒鍵４の各他端部４ｂを上下方向にガイドする第２鍵ガイド部３７とを備えている。第１鍵ガイド部３６は、図５（ａ）に示すように、第１スイッチ基板２９の一端部（図３の左端部で、図５（ａ）では下端部）に設けられた第１当接部３３ｂで兼用されている。
【００４６】
すなわち、この第１鍵ガイド部３６は、第１スイッチ基板２９の一端部（図５（ａ）では下端部）に設けられた第１当接部３３ｂの両側部が黒鍵４の一端部４ａ内の両側面に接触して摺動することにより、黒鍵４の横振れを防ぐように構成されている。また、第２鍵ガイド部３７は、図５（ｂ）に示すように、第２スイッチ基板３１の一端部（図３の右端部で、図５（ｂ）では上端部）に設けられた第２当接部３４ｂで兼用されている。すなわち、この第２鍵ガイド部３７も、第２当接部３４ｂの両側部が黒鍵４の他端部４ｂ内の両側面に接触して摺動することにより、黒鍵４の横振れを防ぐように構成されている。
【００４７】
ところで、鍵盤シャーシ１の鍵配列方向における両側部には、図１に示すように、上部カバー３８、３９がそれぞれ設けられている。この鍵盤シャーシ１の左側に位置する上部カバー３８には、スイッチ操作部５が設けられており、またこの鍵盤シャーシ１の右側に位置する上部カバー３９には、スピーカ部６が設けられている。
【００４８】
スピーカ部６は、図６に示すように、上部カバー３９に多数の放音孔３９ａが設けられ、この放音孔３９ａが設けられた上部カバー３９の内面にスピーカ本体６ａが取り付けられた構成になっている。スイッチ操作部５は、図１および図７に示すように、電源スイッチ、音量スイッチ、音色スイッチなどの各種の操作スイッチ５ａを備えている。
【００４９】
すなわち、スイッチ操作部５は、図７に示すように、上部カバー３８の内面に回路基板４０が取り付けられ、この回路基板４０上に各種の操作スイッチ５ａが設けられ、この操作スイッチ５ａが上部カバー３８の各挿入孔３８ａを通して上方に突出するように構成されている。この場合、回路基板４０の下面には、鍵盤楽器に必要な各種の電子部品４０ａが搭載されている。
【００５０】
この場合、各種の操作スイッチ５ａのうち、例えば音色スイッチは、図１に示すように、複数の鍵２の各一端部側（図１では手前側）、つまり白鍵３の一端部３ａ側および黒鍵４の一端部４ａ側を押鍵操作する際の音色を選択する第１操作スイッチと、複数の鍵２の各他端部側（図１では後部側）、つまり白鍵３の他端部３ｂ側および黒鍵４の他端部４ｂ側を押鍵操作する際の音色を選択する第２操作スイッチとに分割されている。
【００５１】
これに伴って、白鍵３の一端部３ａに対応する第１スイッチ部１４は、例えば図１において左端部から右端部に向かって、音高がＢ−１，Ｃ０，Ｄ０，Ｅ０，Ｆ０，Ｇ０，Ａ０，Ｂ０，Ｃ１，・・・Ｃ２・・・Ｃ３・・・Ｃ４・・・Ｃ５・・・Ｃ６・・・Ｃ７の順のスイッチ信号を出力するように構成されている。また、複数の黒鍵４の一端部４ａに対応する第１スイッチ部２７は、例えば図１において左端部から右端部に向かって、音高がＣ＃０，Ｄ＃０，・・・Ｃ＃２・・・Ｃ＃３・・・Ｃ＃４・・・Ｃ＃５・・・Ｃ＃６・・・の順のスイッチ信号を出力するように構成されている。
【００５２】
一方、白鍵３の他端部３ｂに対応する第２スイッチ部１５は、上述した第１スイッチ部１４の音高とほぼ逆の順序のスイッチ信号を出力する。すなわち、第２スイッチ部１５は、例えば図１において右端部から左端部に向かって、音高がＥ０，Ｆ０，Ｇ０，Ａ０，Ｂ０，Ｃ１，・・・Ｃ２・・・Ｃ３・・・Ｃ４・・・Ｃ５・・・Ｃ６・・・Ｃ７，Ｅ７，Ｆ７，Ｇ７の順のスイッチ信号を出力するように構成されている。
【００５３】
同様に、複数の黒鍵４の他端部４ｂに対応する第２スイッチ部２８は、上述した黒鍵４の一端部４ａに対応する第２スイッチ部２７の音高とほぼ逆の順序のスイッチ信号を出力する。すなわち、この第２スイッチ部２８は、例えば図１において右端部から左端部に向かって、音高がＧ＃０，Ａ＃０，Ｂ＃０，Ｃ＃１，・・・Ｃ＃２・・・Ｃ＃３・・・Ｃ＃４・・・Ｃ＃５・・・Ｃ＃６・・・Ｃ＃７，Ｄ＃７の順のスイッチ信号を出力するように構成されている。
【００５４】
次に、このような鍵盤楽器の作用について説明する。
まず、図１において鍵盤楽器の手前側（図１では下辺側）に演奏者が位置した状態で、図８に示すように、黒鍵４の一端部４ａを押鍵操作した場合には、黒鍵４の一端部４ａが押し下げられる。このときには、黒鍵４の他端部４ｂが第２ストッパ部３４によって上限位置に規制されているので、この第２ストッパ部３４を支点として、黒鍵４が図８において反時計回りに回転する。
【００５５】
すなわち、第２ストッパ部３４は、黒鍵４の他端部４ｂが第２スイッチ部２８の第２可動接点部３２の膨出部３２ａによって押し上げられていることにより、黒鍵４の他端部４ｂに設けられた第２フック部３４ａが第２スイッチ基板３１の先端部（図８では右端部）である第２当接部３４ｂに下側から当接し、黒鍵４の他端部４ｂを上限位置に規制している。このため、黒鍵４の一端部４ａが押し下げられたときには、黒鍵４の他端部４ｂに位置する第２ストッパ部３４を支点として、黒鍵４が図８において反時計回りに回転する。
【００５６】
このように、黒鍵４の一端部４ａが押し下げられる際には、図５（ａ）に示すように、黒鍵４の一端部４ａが第１鍵ガイド部３６によって横振れすることなくガイドされながら、図８に示すように、黒鍵４の一端部４ａが鍵盤シャーシ１の左側に位置する黒鍵逃し部１０に挿入する。
【００５７】
これにより、黒鍵４の一端部４ａ内に設けられたスイッチ押圧部２５が、図８に示すように、第１スイッチ部２７の第１可動接点部３０の膨出部３０ａを押し下げて弾性変形させ、この弾性変形した膨出部３０ａ内の可動接点（図示せず）が第１スイッチ基板２９の固定接点（図示せず）に接触し、第１スイッチ部２７がスイッチ信号を出力する。
【００５８】
同様に、白鍵３の一端部３ａを押鍵操作した場合には、白鍵３の一端部３ａが押し下げられる際に、白鍵３の他端部３ｂが第２ストッパ部２１によって上限位置に規制され、この第２ストッパ部２１を支点として、白鍵３が図８において反時計回りに回転する。このように、白鍵３の一端部３ａが押し下げられると、図４（ａ）に示すように、白鍵３の一端部３ａが第１鍵ガイド部２３によって横振れすることなくガイドされながら、白鍵３の一端部３ａが鍵盤シャーシ１の左側に位置する白鍵逃し部９に挿入する。
【００５９】
これにより、白鍵３の一端部３ａ内に設けられたスイッチ押圧部１２が、第１スイッチ部１４の第１可動接点部１７の膨出部１７ａを押し下げて弾性変形させ、この弾性変形した膨出部１７ａ内の可動接点（図示せず）が第１スイッチ基板１６の固定接点（図示せず）に接触し、第１スイッチ部１４がスイッチ信号を出力する。
【００６０】
このように、図１において鍵盤楽器の手前側（図１では下辺側）に演奏者が位置した状態で、複数の白鍵３の各一端部３ａおよび複数の黒鍵４の各一端部４ａを押鍵操作して、第１の各スイッチ部１４、２７がそれぞれスイッチ信号を出力する際には、複数の白鍵３の各一端部３ａに対応する複数の第１スイッチ部１４が、例えば図１において左端部から右端部に向かって、音高がＢ−１，Ｃ０，Ｄ０，Ｅ０，Ｆ０，Ｇ０，Ａ０，Ｂ０，Ｃ１，・・・Ｃ２・・・Ｃ３・・・Ｃ４・・・Ｃ５・・・Ｃ６・・・Ｃ７の順に対応するスイッチ信号をそれぞれ出力する。
【００６１】
また、このときには、複数の黒鍵４の各一端部４ａに対応する複数の第１スイッチ部２７が、例えば図１において左端部から右端部に向かって、音高がＣ＃０，Ｄ＃０，・・・Ｃ＃２・・・Ｃ＃３・・・Ｃ＃４・・・Ｃ＃５・・・Ｃ＃６・・・の順に対応するスイッチ信号をそれぞれ出力する。
【００６２】
一方、図１において鍵盤楽器の後側（図１では上辺側）に演奏者が位置した状態で、図９に示すように、黒鍵４の他端部４ｂを押鍵操作した場合には、黒鍵４の他端部４ｂが押し下げられる。このときには、黒鍵４の一端部４ａが第１ストッパ部３３によって上限位置に規制されているので、この第１ストッパ部３３を支点として、黒鍵４が図９において時計回りに回転する。
【００６３】
すなわち、第１ストッパ部３３は、黒鍵４の一端部４ａが第１スイッチ部２７の第１可動接点部３０の膨出部３０ａによって押し上げられていることにより、黒鍵４の一端部４ａに設けられた第１フック部３３ａが第１スイッチ基板２９の先端部（図９では左端部）である第１当接部３３ｂに下側から当接し、黒鍵４の一端部４ａを上限位置に規制している。このため、黒鍵４の他端部４ｂが押し下げられたときには、黒鍵４の一端部４ａに位置する第１ストッパ部３３を支点として、黒鍵４が図９において時計回りに回転する。
【００６４】
このように、黒鍵４の他端部４ｂが押し下げられると、図５（ｂ）に示すように、黒鍵４の他端部４ｂが第２鍵ガイド部３７によって横振れすることなくガイドされながら、図９に示すように、黒鍵４の他端部４ｂが鍵盤シャーシ１の右側に位置する黒鍵逃し部１０に挿入する。
【００６５】
これにより、黒鍵４の他端部４ｂ内に設けられたスイッチ押圧部２６が、図９に示すように、第２スイッチ部２８の第２可動接点部３２の膨出部３２ａを押し下げて弾性変形させ、この弾性変形した膨出部３２ａ内の可動接点（図示せず）が第２スイッチ基板３１の固定接点（図示せず）に接触し、第２スイッチ部２８がスイッチ信号を出力する。
【００６６】
同様に、白鍵３の他端部３ｂを押鍵操作した場合には、白鍵３の他端部３ｂが押し下げられる際に、白鍵３の一端部３ａが第１ストッパ部２０によって上限位置に規制され、この第１ストッパ部２０を支点として、白鍵３が図９において時計回りに回転する。このように、白鍵３の他端部３ｂが押し下げられると、図４（ｂ）に示すように、この白鍵３の他端部３ｂが第２鍵ガイド部２４によって横振れすることなくガイドされながら、白鍵３の他端部３ｂが鍵盤シャーシ１の右側に位置する白鍵逃し部９に挿入する。
【００６７】
これにより、白鍵３の他端部３ｂ内に設けられたスイッチ押圧部１３が、第２スイッチ部１５の第２可動接点部１９の膨出部１９ａを押し下げて弾性変形させ、この弾性変形した膨出部１９ａ内の可動接点（図示せず）が第２スイッチ基板１８の固定接点（図示せず）に接触し、第２スイッチ部１５がスイッチ信号を出力する。
【００６８】
このように、図１において鍵盤楽器の後側（図１では上辺側）に演奏者が位置した状態で、複数の白鍵３の各他端部３ｂおよび複数の黒鍵４の各他端部４ｂを押鍵操作して、第２の各スイッチ部１５、２８がそれぞれスイッチ信号を出力する際には、図１において鍵盤楽器の手前側（図１では下辺側）に演奏者が位置した状態で、複数の白鍵３の各一端部３ａおよび複数の黒鍵４の各一端部４ａを押鍵操作した場合と、異なる音高のスイッチ信号を出力する。
【００６９】
すなわち、複数の白鍵３の各他端部３ｂに対応する複数の第２スイッチ部１５は、例えば図１において右端部から左端部に向かって、音高がＥ０，Ｆ０，Ｇ０，Ａ０，Ｂ０，Ｃ１，・・・Ｃ２・・・Ｃ３・・・Ｃ４・・・Ｃ５・・・Ｃ６・・・Ｃ７，Ｅ７，Ｆ７，Ｇ７の順に対応するスイッチ信号をそれぞれ出力する。
【００７０】
また、複数の黒鍵４の各他端部４ｂに対応する複数の第２スイッチ部２８は、例えば図１において右端部から左端部に向かって、音高がＧ＃０，Ａ＃０，Ｂ＃０，Ｃ＃１，・・・Ｃ＃２・・・Ｃ＃３・・・Ｃ＃４・・・Ｃ＃５・・・Ｃ＃６・・・Ｃ＃７，Ｄ＃７の順に対応するスイッチ信号をそれぞれ出力する。
【００７１】
次に、図１において鍵盤楽器の手前側（図１では下辺側）と後側（図１では上辺側）との両側にそれぞれ演奏者が位置した状態で、複数の白鍵３および複数の黒鍵４を両側から押鍵操作して合奏する場合について説明する。
この場合、図１０に示すように、２人の演奏者が黒鍵４の両端部４ａ、４ｂを同時に押鍵操作した際には、黒鍵４の一端部４ａと他端部４ｂとが同時に押し下げられるので、黒鍵４が黒鍵搭載部８の上面とほぼ平行に押し下げられる。
【００７２】
このときには、図５（ａ）に示すように、黒鍵４の一端部４ａが第１鍵ガイド部３６によって横振れすることなくガイドされると共に、図５（ｂ）に示すように、黒鍵４の他端部４ｂが第２鍵ガイド部３７によって横振れすることなくガイドされながら、図１０に示すように、黒鍵４の一端部４ａが鍵盤シャーシ１の左側に位置する黒鍵逃し部１０に挿入すると共に、黒鍵４の他端部４ｂが鍵盤シャーシ１の右側に位置する黒鍵逃し部１０に挿入し、第１、第２の各スイッチ部２７、２８をそれぞれ押圧してスイッチ動作させる。
【００７３】
すなわち、黒鍵４の一端部４ａは、図１０に示すように、その内部に設けられたスイッチ押圧部２５が第１スイッチ部２７の第１可動接点部３０の膨出部３０ａを押し下げて弾性変形させる。これにより、弾性変形した膨出部３０ａ内の可動接点（図示せず）が第１スイッチ基板２９の固定接点（図示せず）に接触し、第１スイッチ部２７がスイッチ信号を出力する。
【００７４】
これと同時に、黒鍵４の他端部４ｂは、図１０に示すように、その内部に設けられたスイッチ押圧部２６が第２スイッチ部２８の第２可動接点部３２の膨出部３２ａを押し下げて弾性変形させる。これにより、弾性変形した膨出部３２ａ内の可動接点（図示せず）が第２スイッチ基板３１の固定接点（図示せず）に接触し、第２スイッチ部２８がスイッチ信号を出力する。
【００７５】
また、２人の演奏者が白鍵３の両端部３ａ、３ｂを同時に押鍵操作した際には、白鍵３の一端部３ａと他端部３ｂとが同時に押し下げられるので、白鍵３が白鍵搭載部７の上面とほぼ平行に押し下げられる。このときにも、白鍵３の一端部３ａと他端部３ｂとが第１、第２の各鍵ガイド部２３、２４によってそれぞれ横振れすることなくガイドされながら、白鍵３の一端部３ａと他端部３ｂとが鍵盤シャーシ１の各白鍵逃し部９にそれぞれ挿入し、第１、第２の各スイッチ部１４、１５をそれぞれ押圧してスイッチ動作させる。
【００７６】
このように、図１において鍵盤楽器の手前側と後側との両側にそれぞれ演奏者が位置した状態で、複数の白鍵３の各両端部３ａ、３ｂおよび複数の黒鍵４の各両端部４ａ、４ｂがそれぞれ同時に押鍵操作された際には、白鍵３が白鍵搭載部７の上面に対してほぼ平行に押し下げられ、白鍵３の中心部が支点突起部２２に当接して白鍵３の下限位置が規制されると共に、黒鍵４が黒鍵搭載部８の上面に対してほぼ平行に押し下げられ、黒鍵４の中心部が支点突起部３５に当接して黒鍵３の下限位置が規制される。
【００７７】
このように、複数の白鍵３の各両端部３ａ、３ｂおよび複数の黒鍵４の各両端部４ａ、４ｂがそれぞれ同時に押鍵操作されて、第１、第２の各スイッチ部１４、１５、２７、２８がそれぞれスイッチ信号を出力する際には、図１において鍵盤楽器の手前側（図１では下辺側）に位置する演奏者が、複数の白鍵３の各一端部３ａおよび複数の黒鍵４の各一端部４ａを押鍵操作した場合と、図１において鍵盤楽器の後側（図１では上辺側）に位置する演奏者が、複数の白鍵３の各他端部３ｂおよび複数の黒鍵４の各他端部４ｂを押鍵操作した場合とで、異なる音高のスイッチ信号を出力する。
【００７８】
すなわち、図１において鍵盤楽器の手前側（図１では下辺側）に位置する演奏者が、複数の白鍵３の各一端部３ａおよび複数の黒鍵４の各一端部４ａを押鍵操作した際には、複数の白鍵３の各一端部３ａに対応する複数の第１スイッチ部１４が、例えば図１において左端部から右端部に向かって、音高がＢ−１，Ｃ０，Ｄ０，Ｅ０，Ｆ０，Ｇ０，Ａ０，Ｂ０，Ｃ１，・・・Ｃ２・・・Ｃ３・・・Ｃ４・・・Ｃ５・・・Ｃ６・・・Ｃ７の順に対応するスイッチ信号をそれぞれ出力する。
【００７９】
また、このときには、複数の黒鍵４の各一端部４ａに対応する複数の第１スイッチ部２７が、例えば図１において左端部から右端部に向かって、音高がＣ＃０，Ｄ＃０，・・・Ｃ＃２・・・Ｃ＃３・・・Ｃ＃４・・・Ｃ＃５・・・Ｃ＃６・・・の順に対応するスイッチ信号をそれぞれ出力する。
【００８０】
同様に、図１において鍵盤楽器の後側（図１では上辺側）に位置する演奏者が、複数の白鍵３の各他端部３ｂおよび複数の黒鍵４の各他端部４ｂを押鍵操作した際には、複数の白鍵３の各他端部３ｂに対応する複数の第２スイッチ部１５が、例えば図１において右端部から左端部に向かって、音高がＥ０，Ｆ０，Ｇ０，Ａ０，Ｂ０，Ｃ１，・・・Ｃ２・・・Ｃ３・・・Ｃ４・・・Ｃ５・・・Ｃ６・・・Ｃ７，Ｅ７，Ｆ７，Ｇ７の順に対応するスイッチ信号をそれぞれ出力する。
【００８１】
また、このときには、複数の黒鍵４の各他端部４ｂに対応する複数の第２スイッチ部２８が、例えば図１において右端部から左端部に向かって、音高がＧ＃０，Ａ＃０，Ｂ＃０，Ｃ＃１，・・・Ｃ＃２・・・Ｃ＃３・・・Ｃ＃４・・・Ｃ＃５・・・Ｃ＃６・・・Ｃ＃７，Ｄ＃７の順に対応するスイッチ信号をそれぞれ出力する。
【００８２】
これにより、図１において鍵盤楽器の手前側と後側との両側にそれぞれ演奏者が位置した状態で、複数の白鍵３の各両端部３ａ、３ｂおよび複数の黒鍵４の各両端部４ａ、４ｂをそれぞれ押鍵操作すると、第１、第２の各スイッチ部１４、１５、２７、２８がそれぞれスイッチ信号を出力することにより、複数の演奏者によって良好に合奏することができる。
【００８３】
このように、この鍵盤楽器によれば、鍵盤シャーシ１と、この鍵盤シャーシ１上に並列に配列されて上下方向に移動する複数の鍵２と、この複数の鍵２の配列方向に対して直交する方向における複数の鍵２の各一端部３ａ、４ａをそれぞれ弾力的に押し上げる複数の第１の各スイッチ部１４、２７と、複数の鍵２の各一端部３ａ、４ａと反対側に位置する複数の鍵２の各他端部３ｂ、４ｂをそれぞれ弾力的に押し上げる複数の第２の各スイッチ部１５、２８と、複数の鍵２における各一端部３ａ、４ａの上限位置をそれぞれ規制する複数の第１の各ストッパ部２０、３３と、複数の鍵２における各他端部３ｂ、４ｂの上限位置をそれぞれ規制する複数の第２の各ストッパ部２１、３４と、を備えているので、複数の演奏者が楽器を挟んで向かい合った状態で自由に合奏することができる。
【００８４】
すなわち、この鍵盤楽器では、複数の鍵２の各一端部３ａ、４ａをそれぞれ押鍵操作すると、その各一端部３ａ、４ａに位置する第１の各スイッチ部１４、２７をスイッチ動作させることができ、複数の鍵２の各他端部３ｂ、４ｂをそれぞれ押鍵操作すると、その各他端部３ｂ、４ｂに位置する第２の各スイッチ部１５、２８をスイッチ動作させることができ、且つ複数の鍵２の各両端部３ａ、３ｂ、４ａ、４ｂをそれぞれ押鍵操作すると、第１、第２の各スイッチ部１４、１５、２７、２８をスイッチ動作させることができる。
【００８５】
このため、鍵盤シャーシ１上に並列に配列された複数の鍵２の各一端部３ａ、４ａと各他端部３ｂ、４ｂとの各両端部をそれぞれ押鍵操作することができるので、複数の演奏者が楽器を挟んで互いに向かい合った状態で、同時に押鍵操作することができる。これにより、複数の演奏者が互いに邪魔にならず、複数の演奏者が楽器を挟んで互いに向かい合って自由に合奏することができる。この場合、鍵盤シャーシ１に並列に配列された複数の鍵２の手前側に位置する演奏者と、その反対側に位置する演奏者とも、複数の鍵２の正面に向かって演奏する感覚で演奏することができるので、違和感なく良好に演奏ができる。
【００８６】
また、複数の第１の各スイッチ部１４、２７は、鍵盤シャーシ１上に配置されて複数の鍵２の各一端部３ａ、４ａに対応する第１の各スイッチ基板１６、２９と、この第１の各スイッチ基板１６、２９上に配置されて複数の鍵２の各一端部３ａ、４ａをそれぞれ弾力的に押し上げる第１の各可動接点部１７、３０とを備えているので、第１の各可動接点部１７、３０によって各鍵２の各一端部３ａ、４ａを弾力的に押し上げることができると共に、各鍵２の各一端部３ａ、４ａが押鍵操作されると、第１の各可動接点部１７、３０を第１の各スイッチ基板１６、２９に接触させることにより、スイッチ動作させることができる。
【００８７】
また、複数の第２の各スイッチ部１５、２８は、鍵盤シャーシ１上に配置されて複数の鍵２の各他端部３ｂ、４ｂに対応する第２の各スイッチ基板１８、３１と、この第２の各スイッチ基板１８、３１上に配置されて複数の鍵２の各他端部３ｂ、４ｂをそれぞれ弾力的に押し上げる第２の各可動接点部１９、３２とを備えているので、第２の各可動接点部１９、３２によって各鍵２の各一端部３ｂ、４ｂを弾力的に押し上げることができると共に、各鍵２の各一端部３ｂ、４ｂが押鍵操作されると、第２の各可動接点部１９、３２を第１の各スイッチ基板１８、３１に接触させることにより、スイッチ動作させることができる。
【００８８】
また、この鍵盤楽器では、第１の各ストッパ部２０、３３が、複数の鍵２の各一端部３ａ、４ａにそれぞれ設けられた複数の第１の各フック部２０ａ、３３ａと、この複数の第１の各フック部２０ａ、３３ａがそれぞれ下側から当接する複数の第１の各当接部２０ｂ、３３ｂとを備えており、第２の各ストッパ部２１、３４が、複数の鍵２の各他端部３ｂ、４ｂにそれぞれ設けられた複数の第２の各フック部２１ａ、３４ａと、この複数の第２の各フック部２１ａ、３４ａがそれぞれ下側から当接する複数の第２の各当接部２１ｂ、３４ｂとを備えていることにより、各鍵２の両端部３ａ、３ｂ、４ａ、４ｂを上限位置に確実に規制することができる。
【００８９】
このため、複数の鍵２の各一端部３ａ、４ａを押鍵操作して押し下げる際には、複数の鍵２の各他端部３ｂ、４ｂに位置する第２の各ストッパ部２１、３４における第２の各フック部２１ａ、３４ａが第２の各当接部２１ｂ、３４ｂに当接することにより、この第２の各ストッパ部２１、３４を支点として、複数の鍵２の各一端部３ａ、４ａを良好に押し下げることができる。
【００９０】
同様に、複数の鍵２の各他端部３ｂ、４ｂを押鍵操作して押し下げる際には、複数の鍵２の各一端部３ａ、４ａに位置する第１の各ストッパ部２０、３３における第１の各フック部２０ａ、３３ａが第１の各当接部２０ｂ、３３ｂに当接することにより、この第１の各ストッパ部２０、３３を支点として、複数の鍵２の各他端部３ｂ、４ｂを良好に押し下げることができる。
【００９１】
さらに、この鍵盤楽器では、鍵盤シャーシ１上に、複数の鍵２の各一端部３ａ、４ａと各他端部３ｂ、４ｂとが同時に押鍵操作された際に、複数の鍵２の各中心部がそれぞれ当接する支点突起部２２、３５が、複数の鍵２にそれぞれ対応して設けられていることにより、複数の鍵２の各両端部３ａ、４ａ、３ｂ、４ｂが同時に押鍵操作されて、各鍵２がほぼ水平に押し下げられても、支点突起部２２、３５によって各鍵２の各下限位置を確実に且つ良好に規制することができる。
【００９２】
すなわち、複数の白鍵３の各両端部３ａ、３ｂおよび複数の黒鍵４の各両端部４ａ、４ｂがそれぞれ同時に押鍵操作された際には、白鍵３が白鍵搭載部７の上面に対してほぼ平行に押し下げられて、白鍵３の中心部が支点突起部２２に当接することにより、白鍵３の下限位置を確実に且つ良好に規制することができると共に、黒鍵４が黒鍵搭載部８の上面に対してほぼ平行に押し下げられて、黒鍵４の中心部が支点突起部３５に当接することにより、黒鍵３の下限位置を確実に且つ良好に規制することができる。
【００９３】
また、この鍵盤楽器では、複数の鍵２の各一端部３ａ、４ａを上下方向にガイドする第１の各鍵ガイド部２３、３６と、複数の鍵２の各他端部３ｂ、４ｂを上下方向にガイドする第２の各鍵ガイド部２４、３７とを備えていることにより、複数の鍵２の各両端部３ａ、４ａ、３ｂ、４ｂがそれぞれ押鍵操作されて押し下げられる際に、第１、第２の各鍵ガイド部２３、２４、３６、３７によって、各鍵２が横振れすることなく、確実に且つ良好に鍵２をガイドすることができる。
【００９４】
さらに、この鍵盤楽器では、複数の鍵２の各一端部３ａ、４ａに対応する第１の各スイッチ部１４、２７と、複数の鍵２の各他端部３ｂ、４ｂに対応する第２の各スイッチ部１５、２８とが、異なる音階のスイッチ信号を出力することにより、複数の演奏者が楽器を挟んで互いに向き合って演奏しても、複数の演奏者が違和感なく、押鍵操作ができると共に、良好に合奏することができる。この場合、白鍵３と黒鍵４とは、鍵２の配列方向と直交する左右方向において、左右対称な形状に形成されているので、これによっても複数の演奏者が違和感なく、良好に合奏することができる。
【００９５】
（実施形態２）
次に、図１１〜図１４を参照して、この発明を適用した鍵盤楽器の実施形態２について説明する。なお、図１〜図１０に示された実施形態１と同一部分には同一符号を付して説明する。
この鍵盤楽器は、複数の鍵２における各両端部３ａ、３ｂ、４ａ、４ｂの各上限位置をそれぞれ規制する第１、第２の各ストッパ部４５〜４８が実施形態１と異なる構成であるほか、複数の鍵の各両端部３ａ、３ｂ、４ａ、４ｂを上下方向にそれぞれガイドする第１、第２の各鍵ガイド部４９〜５２が実施形態１と異なる構成であり、これ以外は実施形態１とほぼ同じ構成になっている。
【００９６】
すなわち、複数の鍵２のうち、複数の白鍵３の各一端部３ａを上限位置に規制する第１ストッパ部４５は、図１１および図１３に示すように、白鍵３の一端部３ａにそれぞれ設けられた第１フック部４５ａと、この第１フック部４５ａがそれぞれ挿入して下側から接離可能に当接する第１当接部４５ｂとを備えている。
【００９７】
この場合、第１フック部４５ａは、図１１および図１３に示すように、鍵盤シャーシ１の左側に位置する白鍵逃し部９に挿入する白鍵３の一端部３ａにおける下端部から図１１において鍵盤シャーシ１の左側に向けて突出し、この突出した先端部が鍵盤シャーシ１の左側に位置する白鍵逃し部９の外部側面（図１１では左側面）に設けられた第１開口部４５ｃ内に上下方向に移動可能に挿入するように形成されている。
【００９８】
第１当接部４５ｂは、図１１および図１２に示すように、鍵盤シャーシ１における左側に位置する白鍵逃し部９の外部側面（図１１では左側面）に設けられた第１開口部４５ｃ内の上端部であり、この第１開口部４５ｃ内に挿入された第１フック部４５ａが下側から接離可能に当接するように構成されている。
【００９９】
これにより、第１ストッパ部４５は、図１１に示すように、白鍵３の一端部３ａが第１スイッチ部１４の第１可動接点部１７によって押し上げられた際に、第１フック部４５ａが鍵盤シャーシ１の左側に位置する白鍵逃し部９に設けられた第１開口部４５ｃ内を上方に移動して第１開口部４５ｃ内の上端部である第１当接部４５ｂに当接することにより、白鍵３の一端部３ａを上限位置に規制するように構成されている。
【０１００】
また、複数の白鍵３の各他端部３ｂを上限位置に規制する第２ストッパ部４６は、図１１および図１３に示すように、白鍵３の他端部３ｂにそれぞれ設けられた第２フック部４６ａと、この第２フック部４６ａがそれぞれ挿入して下側から接離可能に当接する第２当接部４６ｂとを備えている。
【０１０１】
この場合、第２フック部４６ａは、図１１および図１３に示すように、鍵盤シャーシ１の右側に位置する白鍵逃し部９に挿入する白鍵３の他端部３ｂにおける下端部から図１１において鍵盤シャーシ１の右側に向けて突出し、この突出した先端部が鍵盤シャーシ１の右側に位置する白鍵逃し部９の外部側面（図１１では右側面）に設けられた第２開口部４６ｃ内に上下方向に移動可能に挿入するように形成されている。
【０１０２】
第２当接部４６ｂは、図１１および図１２に示すように、鍵盤シャーシ１における右側に位置する白鍵逃し部９の外部側面（図１１では右側面）に設けられた第２開口部４６ｃ内の上端部であり、この第２開口部４６ｃ内に挿入された第２フック部４６ａが下側から接離可能に当接するように構成されている。
【０１０３】
これにより、第２ストッパ部４６は、図１１に示すように、白鍵３の他端部３ｂが第２スイッチ部１５の第２可動接点部１９によって押し上げられた際に、第２フック部４６ａが鍵盤シャーシ１の右側に位置する白鍵逃し部９に設けられた第２開口部４６ｃ内を上方に移動して第２開口部４６ｃ内の上端部である第２当接部４６ｂに当接することにより、白鍵３の他端部３ｂを上限位置に規制するように構成されている。
【０１０４】
一方、複数の黒鍵４の各一端部４ａを上限位置に規制する黒鍵用の第１ストッパ部４７は、図１２および図１４に示すように、黒鍵４の一端部４ａにそれぞれ設けられた第１フック部４７ａと、この第１フック部４７ａがそれぞれ挿入して下側から接離可能に当接する第１当接部４７ｂとを備えている。
【０１０５】
この場合、第１フック部４７ａは、図１２および図１４に示すように、鍵盤シャーシ１の左側に位置する黒鍵逃し部１０に挿入する黒鍵４の一端部４ａにおける下端部から図１２において鍵盤シャーシ１の左側に向けて突出し、この突出した先端部が鍵盤シャーシ１の左側に位置する黒鍵逃し部１０の外部側面（図１２では左側面）に設けられた第１開口部４７ｃ内に上下方向に移動可能に挿入するように形成されている。
【０１０６】
第１当接部４７ｂは、図１２および図１４に示すように、鍵盤シャーシ１における左側に位置する黒鍵逃し部１０の外部側面（図１２では左側面）に設けられた第１開口部４７ｃ内の上端部であり、この第１開口部４７ｃ内に挿入された第１フック部４７ａが下側から接離可能に当接するように構成されている。
【０１０７】
これにより、第１ストッパ部４７は、図１２に示すように、黒鍵４の一端部４ａが第１スイッチ部２７の第１可動接点部３０によって押し上げられた際に、第１フック部４７ａが鍵盤シャーシ１の左側に位置する黒鍵逃し部１０に設けられた第１開口部４７ｃ内を上方に移動して第１開口部４７ｃ内の上端部である第１当接部４７ｂに当接することにより、黒鍵４の一端部４ａを上限位置に規制するように構成されている。
【０１０８】
また、複数の黒鍵４の各他端部４ｂａを上限位置に規制する黒鍵用の第２ストッパ部４８は、図１２および図１４に示すように、黒鍵４の他端部４ｂにそれぞれ設けられた第２フック部４８ａと、この第２フック部４８ａがそれぞれ挿入して下側から接離可能に当接する第２当接部４８ｂとを備えている。
【０１０９】
この場合、第２フック部４８ａは、図１２および図１４に示すように、鍵盤シャーシ１の右側に位置する黒鍵逃し部１０に挿入する黒鍵４の他端部４ｂにおける下端部から図１２において鍵盤シャーシ１の右側に向けて突出し、この突出した先端部が鍵盤シャーシ１の右側に位置する黒鍵逃し部１０の外部側面（図１２では右側面）に設けられた第２開口部４８ｃ内に上下方向に移動可能に挿入するように形成されている。
【０１１０】
第２当接部４８ｂは、図１２および図１４に示すように、鍵盤シャーシ１における右側に位置する黒鍵逃し部１０の外部側面（図１２では右側面）に設けられた第２開口部４８ｃ内の上端部であり、この第２開口部４８ｃ内に挿入された第２フック部４８ａが下側から接離可能に当接するように構成されている。
【０１１１】
これにより、第２ストッパ部４８は、図１２に示すように、黒鍵４の他端部４ｂが第２スイッチ部２８の第２可動接点部３２によって押し上げられた際に、第２フック部４８ａが鍵盤シャーシ１の右側に位置する黒鍵逃し部１０に設けられた第２開口部４８ｃ内を上方に移動して第２開口部４８ｃ内の上端部である第２当接部４８ｂに当接することにより、黒鍵４の他端部４ａを上限位置に規制するように構成されている。
【０１１２】
ところで、複数の白鍵３の各一端部３ａをガイドする第１鍵ガイド部４９は、図１１および図１３に示すように、第１ストッパ部４５の第１フック部４５ａと第１開口部４５ｃとで兼用されている。すなわち、この第１鍵ガイド部４９は、鍵盤シャーシ１の左側に位置する白鍵逃し部９に設けられた第１開口部４５ｃ内に第１フック部４５ａが挿入して上下方向に移動する際に、第１フック部４５ａの両側部が第１開口部４５ｃ内の両側縁部に接触して摺動することにより、白鍵３の一端部３ａの横振れを防ぐように構成されている。
【０１１３】
また、複数の白鍵３の各他端部３ｂをガイドする第２鍵ガイド部５０は、図１１および図１３に示すように、第２ストッパ部４６の第２フック部４６ａと第２開口部４６ｃとで兼用されている。すなわち、この第２鍵ガイド部５０は、鍵盤シャーシ１の右側に位置する白鍵逃し部９に設けられた第２開口部４６ｃ内に第２フック部４６ａが挿入して上下方向に移動する際に、第２フック部４６ａの両側部が第２開口部４６ｃ内の両側縁部に接触して摺動することにより、白鍵３の他端部３ｂの横振れを防ぐように構成されている。
【０１１４】
同様に、複数の黒鍵４の各一端部４ａをガイドする黒鍵用の第１鍵ガイド部５１は、図１２および図１４に示すように、第１ストッパ部４７の第１フック部４７ａと第１開口部４７ｃとで兼用されている。すなわち、この第１鍵ガイド部５１は、鍵盤シャーシ１の左側に位置する黒鍵逃し部１０に設けられた第１開口部４７ｃ内に第１フック部４７ａが挿入して上下方向に移動する際に、第１フック部４７ａの両側部が第１開口部４７ｃ内の両側縁部に接触して摺動することにより、黒鍵４の一端部４ａの横振れを防ぐように構成されている。
【０１１５】
また、複数の黒鍵４の各他端部４ｂをガイドする黒鍵用の第２鍵ガイド部５２は、図１２および図１４に示すように、第２ストッパ部４８の第２フック部４８ａと第２開口部４８ｃとで兼用されている。すなわち、この第２鍵ガイド部５２は、鍵盤シャーシ１の右側に位置する黒鍵逃し部１０に設けられた第２開口部４８ｃ内に第２フック部４８ａが挿入して上下方向に移動する際に、第２フック部４８ａの両側部が第２開口部４８ｃ内の両側縁部に接触して摺動することにより、黒鍵４の他端部４ｂの横振れを防ぐように構成されている。
【０１１６】
このような鍵盤楽器によれば、第１の各ストッパ部４５、４７が、複数の鍵２の各一端部３ａ、４ａにそれぞれ設けられた第１の各フック部４５ａ、４７ａと、この第１の各フック部４５ａ、４７ａがそれぞれ下側から当接する第１の各当接部４５ｂ、４７ｂとを備えており、第２の各ストッパ部４６、４８が、複数の鍵２の各他端部３ｂ、４ｂにそれぞれ設けられた第２の各フック部４６ａ、４８ａと、この第２の各フック部４６ａ、４８ａがそれぞれ下側から当接する第２の各当接部４６ｂ、４８ｂとを備えていることにより、各鍵２の両端部３ａ、３ｂ、４ａ、４ｂを上限位置に確実に規制することができる。
【０１１７】
このため、複数の鍵２の各一端部３ａ、４ａを押鍵操作して押し下げた際には、複数の鍵２の各他端部３ｂ、４ｂに位置する第２の各ストッパ部４６、４８における第２の各フック部４６ａ、４８ａが第２の各当接部４６ｂ、４８ｂに当接することにより、この第２の各ストッパ部４６、４８を支点として、複数の鍵２の各一端部３ａ、４ａを良好に押し下げることができる。
【０１１８】
同様に、複数の鍵２の各他端部３ｂ、４ｂを押鍵操作して押し下げた際には、複数の鍵２の各一端部３ａ、４ａに位置する第１の各ストッパ部４５、４７における第１の各フック部４５ａ、４７ａが第１の各当接部４５ｂ、４７ｂに当接することにより、この第１の各ストッパ部４５、４７を支点として、複数の鍵２の各他端部３ｂ、４ｂを良好に押し下げることができる。
【０１１９】
また、この鍵盤楽器においても、複数の鍵２の各一端部３ａ、４ａを上下方向にガイドする第１の各鍵ガイド部４９、５１と、複数の鍵２の各他端部３ｂ、４ｂを上下方向にガイドする第２の各鍵ガイド部５０、５２とを備えていることにより、複数の鍵２の各両端部３ａ、４ａ、３ｂ、４ｂがそれぞれ押鍵操作されて押し下げられる際に、第１、第２の各鍵ガイド部４９〜５２によって、各鍵２が横振れすることなく、確実に且つ良好に鍵２をガイドすることができる。
【０１２０】
なお、上述した実施形態１、２では、第１、第２の各可動接点部１７、１９、３０、３２がゴムやエラストマーなどの弾性シートを用いた構成である場合について述べたが、これに限らず、例えばコイルばねや板ばねなどの可動接点を有するばね部材であっても良い。
【０１２１】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１２２】
（付記）
請求項１に記載の発明は、鍵盤シャーシと、この鍵盤シャーシ上に並列に配列されて上下方向に移動する複数の鍵と、この複数の鍵の配列方向に対して直交する方向における前記複数の鍵の各一端部をそれぞれ弾力的に押し上げる複数の第１スイッチ部と、前記複数の鍵の前記各一端部と反対側に位置する前記複数の鍵の各他端部をそれぞれ弾力的に押し上げる複数の第２スイッチ部と、前記複数の鍵における前記各一端部の上限位置をそれぞれ規制する複数の第１ストッパ部と、前記複数の鍵における前記各他端部の上限位置をそれぞれ規制する複数の第２ストッパ部と、を備えていることを特徴とする鍵盤楽器である。
【０１２３】
請求項２に記載の発明は、請求項１に記載の鍵盤楽器において、前記複数の第１スイッチ部は、前記鍵盤シャーシ上に配置されて前記複数の鍵の前記各一端部に対応する第１スイッチ基板と、この第１スイッチ基板上に配置されて前記複数の鍵の前記各一端部をそれぞれ弾力的に押し上げる第１可動接点部とを備えており、
前記複数の第２スイッチ部は、前記鍵盤シャーシ上に配置されて前記複数の鍵の前記各他端部に対応する第２スイッチ基板と、この第２スイッチ基板上に配置されて前記複数の鍵の前記各他端部をそれぞれ弾力的に押し上げる第２可動接点部とを備えていることを特徴とする鍵盤楽器である。
【０１２４】
請求項３に記載の発明は、請求項１または請求項２に記載の鍵盤楽器において、前記第１ストッパ部は、前記複数の鍵の前記各一端部にそれぞれ設けられた第１フック部と、この第１フック部がそれぞれ下側から当接する第１当接部とを備えており、前記第２ストッパ部は、前記複数の鍵の前記各他端部にそれぞれ設けられた第２フック部と、この第２フック部がそれぞれ下側から当接する第２当接部とを備えていることを特徴とする鍵盤楽器である。
【０１２５】
請求項４に記載の発明は、請求項１〜請求項３のいずれかに記載の鍵盤楽器において、前記鍵盤シャーシ上には、前記複数の鍵の前記各一端部と前記各他端部との各両端部が同時に押鍵操作された際に、前記複数の鍵の各中心部がそれぞれ当接する支点突起部が、前記複数の鍵にそれぞれ対応して設けられていることを特徴とする鍵盤楽器である。
【０１２６】
請求項５に記載の発明は、請求項１〜請求項４のいずれかに記載の鍵盤楽器において、前記複数の鍵の前記各一端部を上下方向にガイドする第１鍵ガイド部と、前記複数の鍵の前記各他端部を上下方向にガイドする第２鍵ガイド部とを備えていることを特徴とする鍵盤楽器である。
【０１２７】
請求項６に記載の発明は、請求項１〜請求項５のいずれかに記載の鍵盤楽器において、前記第１スイッチ部と前記第２スイッチ部とは、異なる音階のスイッチ信号を出力することを特徴とする鍵盤楽器である。
【符号の説明】
【０１２８】
１  鍵盤シャーシ
２  鍵
３  白鍵
３ａ  白鍵の一端部
３ｂ  白鍵の他端部
４  黒鍵
４ａ  黒鍵の一端部
４ｂ  黒鍵の他端部
７  白鍵搭載部
８  黒鍵搭載部
９  白鍵逃し部
１０  黒鍵逃し部
１４、２７  第１スイッチ部
１５、２８  第２スイッチ部
１６、２９  第１スイッチ基板
１７、３０  第１可動接点部
１７ａ、３０ａ  第１可動接点部の膨出部
１８、３１  第２スイッチ基板
１９、３２  第２可動接点部
１９ａ、３２ａ  第２可動接点部の膨出部
２０、３３、４５、４７  第１ストッパ部
２０ａ、３３ａ、４５ａ、４７ａ  第１フック部
２０ｂ、３３ｂ、４５ｂ、４７ｂ  第１当接部
２１、３４、４６、４８  第２ストッパ部
２１ａ、３４ａ、４６ａ、４８ａ  第２フック部
２１ｂ、３４ｂ、４６ｂ、４８ｂ  第２当接部
２２、３５  支点突起部
２３、３６、４９、５１  第１鍵ガイド部
２４、３７、５０、５２  第２鍵ガイド部
【図１】
0005637387.tif 000002
【図２】
0005637387.tif 000003
【図３】
0005637387.tif 000004
【図４】
0005637387.tif 000005
【図５】
0005637387.tif 000006
【図６】
0005637387.tif 000007
【図７】
0005637387.tif 000008
【図８】
0005637387.tif 000009
【図９】
0005637387.tif 000010
【図１０】
0005637387.tif 000011
【図１１】
0005637387.tif 000012
【図１２】
0005637387.tif 000013
【図１３】
0005637387.tif 000014
【図１４】
0005637387.tif 000015